(57)【特許請求の範囲】
【請求項１】
情報信号が記録される情報ピットが配列されてなる記録トラックを夫々有する、第１記録層、及び第２記録層を備える光ディスクから前記情報信号を記録又は再生する光ピックアップであって、
レーザ光を照射する光源と、
前記レーザ光を、前記第１記録層に導く光学系と、
導かれた前記レーザ光が、前記第１記録層に合焦点した場合、前記第１記録層において発生する第１信号光に対して、偏光方向を第１方向にさせる第１領域、前記偏光方向を第２方向にさせる第２領域、前記偏光方向を第１方向にさせる第３領域、及び、前記偏光方向を第２方向にさせる第４領域が、基準方向に沿って並んで配置された光学素子と、
前記第１領域を透過した前記第１信号光の第１部分、及び、前記第３領域を透過した前記第１信号光の第３部分を受光するように配置された第１受光手段と、
前記第２領域を透過した前記第１信号光の第２部分、及び、前記第４領域を透過した前記第１信号光の第４部分を受光するように配置された第２受光手段と、
を備えることを特徴とする光ピックアップ。
【請求項２】
前記光学素子は、前記第１信号光、及び、前記第２記録層において発生する第２迷光に対して振幅格子として機能することを特徴とする請求項１に記載の光ピックアップ。
【請求項３】
前記光学素子は、偏光方向が第１方向の光、及び、偏光方向が、前記第１方向とは異なる第２方向の光のうちのいずれか一方の光強度を基準とした振幅格子として機能する透過型回折格子であることを特徴とする請求項１に記載の光ピックアップ。
【請求項４】
前記基準方向は、前記光ディスクの半径方向に基づいて規定されることを特徴とする請求項１に記載の光ピックアップ。
【請求項５】
前記第１領域と前記第４領域とは、前記基準方向と直交する前記光ディスクの接線方向を中心軸として線対称の位置関係であると共に、前記第２領域と前記第３領域とは、前記基準方向と直交する前記光ディスクの接線方向を中心軸として線対称の位置関係であることを特徴とする請求項１に記載の光ピックアップ。
【請求項６】
前記レーザ光が、前記第１記録層に合焦点した場合、前記第２記録層において発生する第２迷光に対して、
前記第２領域は、前記第２迷光の第２部分の偏光方向を前記第２方向にさせ、
前記第３領域は、前記第２迷光の第３部分の偏光方向を前記第１方向にさせ、
前記第１受光手段は、前記第２迷光の第２部分が照射されるように配置され、
前記第２受光手段は、前記第２迷光の第３部分が照射されるように配置されることを特徴とする請求項１に記載の光ピックアップ。
【請求項７】
前記第２記録層に合焦点した場合、前記第２記録層において発生する第２信号光に対して、前記第１領域を透過した前記第２信号光の第１部分、及び、前記第３領域を透過した前記第２信号光の第３部分を受光するように配置された第３受光手段と、
前記第２領域を透過した前記第２信号光の第２部分、及び、前記第４領域を透過した前記第２信号光の第４部分を受光するように配置された第４受光手段と、
を備えることを特徴とする請求項１に記載の光ピックアップ。
【請求項８】
前記レーザ光が、前記第２記録層に合焦点した場合、前記第１記録層において発生する第１迷光に対して、
前記第２領域は、前記第１迷光の第２部分の偏光方向を前記第２方向にさせ、
前記第３領域は、前記第１迷光の第３部分の偏光方向を前記第１方向にさせ、
前記第３受光手段は、前記第１迷光の第２部分が照射されるように配置され、
前記第４受光手段は、前記第１迷光の第３部分が照射されるように配置されることを特徴とする請求項１に記載の光ピックアップ。
【請求項９】
前記第１方向と、前記第２方向とは、相対的に偏光面が９０度だけ異なることを特徴とする請求項１に記載の光ピックアップ。
【請求項１０】
（i）前記第１領域、及び前記第３領域、並びに、（ii）前記第２領域、及び前記第４領域のうちいずれか一方は、λ／２波長板であることを特徴とする請求項１に記載の光ピックアップ。
【請求項１１】
（i）前記第１領域、及び前記第４領域、又は（ii）前記第２領域、及び前記第３領域が形成される幅は、（iii）前記第１信号光の光径における、前記第２記録層からの第２迷光との影響が相対的に大きい領域の面積若しくは形状、及び（iv）前記第１信号光の光径の中心の位置に基づいて規定されることを特徴とする請求項１に記載の光ピックアップ。
【請求項１２】
照射された前記レーザ光を回折させる回折手段を更に備え、
（i）前記第１領域、及び前記第４領域、又は（ii）前記第２領域、及び前記第３領域が形成される幅の（iii）最小値は、前記第１信号光の光径における、前記第２記録層からの第２迷光との影響が相対的に大きい領域の面積若しくは形状に基づいて規定され、（iv）最大値は、前記第１信号光の回折光成分の光径及び回折角度に基づいて規定されることを特徴とする請求項１に記載の光ピックアップ。
【請求項１３】
（i）前記第１領域、及び前記第３領域、並びに、（ii）前記第２領域、及び前記第４領域は、所定の空間周波数に基づいて、振幅格子として機能する透過型回折格子として、夫々形成されていることを特徴とする請求項１に記載の光ピックアップ。
【請求項１４】
受光された前記第１信号光に基づいて、前記レーザ光を前記第１記録層に有される記録トラックに導くように前記光学系を制御する制御手段を更に備えることを特徴とする請求項１に記載の光ピックアップ。
【請求項１５】
請求項１に記載の光ピックアップと、
前記レーザ光を前記光ディスクに照射することで、前記情報信号の記録又は再生を行う記録再生手段と
を備えることを特徴とする情報機器。
【発明の詳細な説明】
【技術分野】
【０００１】
本発明は、例えばＤＶＤ等の情報記録媒体に対して情報信号の記録又は再生を行う際にレーザ光を照射する光ピックアップ、及び当該光ピックアップを備える情報機器の技術分野に関する。
【背景技術】
【０００２】
例えば２層型のＤＶＤ等のように、レーザ光等を用いて光学的に情報信号（データ）の記録又は再生を行う、多層型の光ディスク等の情報記録媒体が開発されている。このような多層型の光ディスクにおいては、記録層と、記録層との間隔が広いと、球面収差の影響により選択された記録層からの信号が劣化する可能性があるため、記録層と記録層との間隔を狭くする傾向にある。しかしながら、記録層と記録層との間隔が狭くなると、所謂、層間クロストークにより、多層型の光ディスクからの戻り光には、選択された所望の記録層（以下、適宜「一の記録層」と称す）において発生する反射光（以下、適宜「信号光」と称す）の成分だけでなく、一の記録層以外の他の記録層において発生する反射光（以下、適宜「迷光」と称す）の成分も、高いレベルで含まれている。よって、例えば再生信号等の信号成分のＳ／Ｎ比が低下し、トラッキング制御等の各種の制御を適切に行うことが困難となってしまう可能性がある。詳細には、一般的に、受光素子（フォトディテクタ）に照射される信号光の光径（即ち、光ピックアップ内の光路における安定性や、光ピックアップの制御動作における、信頼性）と、迷光の成分がトレードオフの関係にあることが知られている。具体的には、光学倍率を高め、規格化すべき受光素子の面積を小さくすれば、信号レベル「Signal」に対する、迷光の影響「Noise」は、相対的に低減され、ＳＮ比（Signal to Noise Ratio）を向上させることが可能である。しかしながら、受光素子に照射される信号光の光径は、必然的に、小さくなり、受光素子を構成する各種の分割領域において、例えばトラッキング誤差信号等の各種の信号を生成する場合、信号光の位置ずれが、信号光の光径が小さくした分だけ、不必要に大きく検出されてしまう。そのため、光ピックアップ内の各種のアクチュエータにおける、機械的、構造的、位置的な精度を、高く調整して、信号光の照射位置を、高精度に制御することが必要となってしまう。即ち、光ピックアップ内の光路における、安定性や、光ピックアップの制御動作における、信頼性が低くなってしまうという技術的な問題点が生じてしまう。【０００３】
そこで、例えば２層型のブルーレイディスク（Blu-ray Disc）の記録又は再生の際のトラッキング方式において、ホログラム素子によって、プッシュプル信号を信号光から分離させることで、迷光の受光素子への入射を回避するための技術について提案されている。或いは、特許文献１においては、２層型の光ディスクの各記録層からの戻り光の光軸の角度の違いを利用して、各記録層からの反射光を高精度に分離する技術について記載されている。【０００４】
【特許文献１】特開２００５−２２８４３６号公報
【発明の開示】
【発明が解決しようとする課題】
【０００５】
しかしながら、上述したことに対して受光素子の面積を大きくした場合、光ピックアップを大型化しなければならないという技術的な問題点が生じてしまう。或いは、上述した、各種の手法においては、例えばＢＤ（Blu-ray Disc）等の層間距離が従来より小さな光ディスクに対応して、迷光の影響を適切に低減することが困難となってしまうという技術的な問題点が生じてしまう。或いは、上述した、各種の手法においては、図１３に示されるように、フォーカスエラー信号（或いは、ＲＦ信号）を受光するための受光素子において、迷光（図１３中の「Stray light」と「Transmitted beam」との重なりを参照）が入射してしまい、迷光の影響によって、所望の記録層からの戻り光の信号成分のＳ／Ｎ比が低下してしまうという技術的な問題点が生じてしまう。【０００６】
本発明は、例えば上述した従来の問題点に鑑みなされたものであり、例えば多層型の光ディスク等の情報記録媒体において、迷光の影響を低減させつつ、情報信号を、より高精度に再生又は記録することを可能ならしめる光ピックアップ、及びこのような光ピックアップを備える情報機器を提供することを課題とする。
【課題を解決するための手段】
【０００７】
（光ピックアップ）
上記課題を解決するために、本発明の光ピックアップは、情報信号が記録される情報ピットが配列されてなる記録トラックを夫々有する、第１記録層（L0）、及び第２記録層（L1）を備える光ディスクから前記情報信号を記録又は再生する光ピックアップであって、レーザ光を照射する光源と、前記レーザ光を、前記第１記録層に導く光学系（ハーフミラー、対物レンズ）と、導かれた前記レーザ光が、前記第１記録層に合焦点した場合、前記第１記録層において発生する第１信号光に対して、偏光方向を第１方向（α+90度）にさせる（例えば波長板における遅延軸の位相を第１位相（α度）にさせる）第１領域、前記偏光方向を第２方向（α度）にさせる（例えば波長板における遅延軸の位相を第２位相（α+180度）にさせる）第２領域、前記偏光方向を第１方向にさせる第３領域、及び、前記偏光方向を第２方向にさせる第４領域が、基準方向に沿って並んで配置された光学素子（１ビーム用の回折格子の形状の領域分割された波長板）と、前記第１領域を透過した前記第１信号光の第１部分（1a）、及び、前記第３領域を透過した前記第１信号光の第３部分（3a）を受光するように配置された第１受光手段（E3+E4）と、前記第２領域を透過した前記第１信号光の第２部分（2a）、及び、前記第４領域を透過した前記第１信号光の第４部分（4a）を受光するように配置された第２受光手段（E1+E2）と、を備える。【０００８】
本発明の光ピックアップによれば、光源から照射されたレーザ光は、例えば対物レンズ、ビームスプリッタ、又は、プリズム等の光学系により、２つの記録層のうちの第１記録層に導かれ、集光される。と共に、第１記録層に合焦点した場合、当該第１記録層において発生する第１信号光は、光学素子を介して、受光手段によって受光される。よって、第１記録層に導かれ、集光されたレーザ光は、第１記録層に形成された情報ピットやマークを再生することが可能である。よって、光ディスクから所定の情報を再生することが可能である。或いは、集光されたレーザ光は、第１記録層に情報ピットやマークを形成することが可能である。よって、光ディスクに対して所定の情報を記録することが可能である。【０００９】
特に、本発明によれば、光学素子においては、第１信号光に対して、（i）偏光方向を第１方向（α+90度）にさせる（言い換えると、例えば波長板における遅延軸の位相を第１位相（α度）にさせる）第１領域、（ii）偏光方向を第２方向（α度）にさせる（言い換えると、例えば波長板における遅延軸の位相を第２位相（α+180度）にさせる）第２領域、（iii）偏光方向を第１方向にさせる第３領域、及び、（iv）偏光方向を第２方向にさせる第４領域が、基準方向に沿って並んで配置されている。【００１０】
加えて、第１受光手段（E3+E4）は、第１領域を透過した第１信号光の第１部分（1a）、及び、第３領域を透過した第１信号光の第３部分（3a）を受光するように配置されている。更に、第２受光手段（E1+E2）は、第２領域を透過した第１信号光の第２部分（2a）、及び、第４領域を透過した第１信号光の第４部分（4a）を受光するように配置されている。【００１１】
この結果、第１記録層に合焦点した場合、光学素子を透過した、（i）第１記録層からの第１信号光と、（ii）第２記録層からの迷光（以下、適宜第２迷光と称す）とにおける、偏光方向を異ならせて、所定の組み合わせに基づいて、第１受光手段、及び第２受光手段に夫々受光させることで、迷光による光の干渉の影響を、より効果的に低減することが可能である。【００１２】
以上の結果、本発明によれば、２層型の情報記録媒体における、例えば１ビームによるトラッキング制御において、第１信号光が、光学素子を介して、２種類の受光部、即ち（i）第１受光手段及び第２受光手段、又は、（ii）第３受光手段及び第４受光手段に受光されることに基づいて、第２迷光の影響を、第１信号光に対して、効果的に夫々低減させ、光強度のレベルをより高く維持させることが可能である。従って、本発明によれば、２層型の情報記録媒体における、例えば１ビームによるトラッキング制御において、他の記録層からの、迷光の影響を効果的に低減させ、光強度（又は、光強度に対応される光の振幅）のレベルをより高く維持させた状態の下で、信号光を、受光部に受光させ、高精度な、トラッキング制御を実現することが可能である。【００１３】
本発明の光ピックアップの一の態様では、前記光学素子は、前記第１信号光、及び、前記第２記録層において発生する第２迷光に対して振幅格子（１ビーム用の回折格子の形状の領域分割された波長板）として機能する。【００１４】
この態様によれば、光学素子は、第１信号光、及び、第２記録層において発生する第２迷光に対して、振幅格子として機能する。ここに、本発明に係る「振幅格子」とは、例えば、偏光方向が一の方向である光を基準として、例えば所定の空間周波数に基づいて、光の振幅（即ち、光強度）を変化させる、所謂、透過型の回折格子である。【００１５】
特に、本発明によれば、光学素子が、振幅格子として、機能するので、光学素子を透過した、第１信号光の一部に対する迷光による光の干渉の影響も小さくなる。従って、光学素子を透過した、第１信号光の一部の集合である、第１信号光の全部に対する第２迷光による光の干渉の影響も小さくなる。【００１６】
この結果、振幅格子として機能する光学素子によって、信号光に対する、迷光における、光の干渉の影響を効果的に低減することが可能である。言い換えると、迷光による光の干渉を受ける光が、振幅格子によって、回折されることで、光の干渉の影響も分散され、効果的に低減することが可能である。【００１７】
本発明の光ピックアップの他の態様では、前記光学素子は、偏光方向が第１方向（α＋９０度）の光、及び、偏光方向が、前記第１方向とは異なる第２方向（α度）の光のうちのいずれか一方の光強度を基準とした振幅格子として機能する透過型回折格子である。
【００１８】
この態様によれば、振幅格子として機能する光学素子は、例えば所定の空間周波数に基づいて、前述した、第１領域（若しくは第３領域）、並びに、第２領域（若しくは第４領域）によって構成されるようにしてもよい。この第１領域（若しくは第３領域）を透過する、第１信号光の一部の偏光方向は、第１方向（例えばα+90度）に変化される。と共に、第２迷光の一部の偏光方向も、第１方向に変化される。他方、振幅格子として機能する光学素子の第２領域（若しくは第４領域）を透過する、第１信号光の他部の偏光方向は、第１方向と異なる、第２方向（例えばα度）に変化される。と共に、第２迷光の一部の偏光方向も、例えば、第２方向に変化される。【００１９】
従って、偏光方向が、第１方向である光を基準とした光強度は、第１領域（若しくは第３領域）を透過した、第１信号光の一部、及び、第２迷光の一部に基づいて、規定される。加えて、第２領域（若しくは第４領域）を透過した、第１信号光の他部、及び、第２迷光の他部は、偏光方向が、第１方向である光を基準とした光強度に、影響を与えることは殆ど又は完全にない。概ね同様にして、偏光方向が、第２方向である光を基準とした光強度は、第２領域（若しくは第４領域）を透過した、第１信号光の他部、及び、第２迷光の他部に基づいて、規定される。加えて、第１領域（若しくは第３領域）を透過した、第１信号光の一部、及び、第２迷光の一部は、偏光方向が、第２方向である光を基準とした光強度に、影響を与えることは殆ど又は完全にない。【００２０】
以上の結果、光学素子は、第１方向、及び第２方向うちのいずれか一方の光強度を基準とした振幅格子として機能するので、第１信号光に対する、第２迷光における、光の干渉の影響を効果的に低減することが可能である。【００２１】
本発明の光ピックアップの他の態様では、前記基準方向は、前記光ディスクの半径方向（プッシュプル信号を受光するための方向：Rad方向）に基づいて規定される。【００２２】
この態様によれば、２層型の情報記録媒体における、例えば１ビーム法に基づくトラッキング制御において、第２迷光の影響を効果的に低減させ、光強度のレベルをより高く維持させた状態の下で、第１信号光を、受光手段に受光させ、より高精度なトラッキング制御を実現することが可能である。【００２３】
本発明の光ピックアップの他の態様では、前記第１領域と前記第４領域とは、前記基準方向と直交する前記光ディスクの接線方向を中心軸として線対称の位置関係であると共に、前記第２領域と前記第３領域とは、前記基準方向と直交する前記光ディスクの接線方向を中心軸として線対称の位置関係である。【００２４】
この態様によれば、線対称な位置関係である、第１領域及び第４領域、並びに、線対称な位置関係である、第２領域及び第３領域とに基づいて、２層型の情報記録媒体における、例えば１ビーム法に基づくトラッキング制御において、第２迷光の影響を効果的に低減させ、光強度のレベルをより高く維持させた状態の下で、第１信号光を、受光手段に受光させ、より高精度なトラッキング制御を実現することが可能である。【００２５】
本発明の光ピックアップの他の態様では、前記レーザ光が、前記第１記録層に合焦点した場合、前記第２記録層において発生する第２迷光に対して、前記第２領域は、前記第２迷光の第２部分（S2a）の偏光方向を前記第２方向（α度）にさせ、前記第３領域は、前記第２迷光の第３部分（S3a）の偏光方向を前記第１方向（α+90度）にさせ、前記第１受光手段（E3+E4）は、前記第２迷光の第２部分（S2a）が照射されるように配置され、前記第２受光手段（E1+E2）は、前記第２迷光の第３部分（S3a）が照射されるように配置される。【００２６】
この態様によれば、第１記録層に合焦点した場合、光学素子を透過した、（i）第１記録層からの第１信号光と、（ii）第２記録層からの第２迷光とにおける、偏光方向を異ならせて、所定の組み合わせに基づいて、第１受光手段、及び第２受光手段に夫々受光させることで、第２迷光による光の干渉の影響を、より効果的に低減することが可能である。【００２７】
本発明の光ピックアップの他の態様では、前記第２記録層に合焦点した場合、前記第２記録層において発生する第２信号光に対して、前記第１領域を透過した前記第２信号光の第１部分（1b）、及び、前記第３領域を透過した前記第２信号光の第３部分（3b）を受光するように配置された第３受光手段（F1+F2）と、前記第２領域を透過した前記第２信号光の第２部分（2b）、及び、前記第４領域を透過した前記第２信号光の第４部分（4b）を受光するように配置された第４受光手段（F3+F4）と、を備える。【００２８】
この態様によれば、第２記録層に合焦点した場合、光学素子を透過した、（i）第２記録層からの第２信号光と、（ii）第１記録層からの迷光（以下、適宜第１迷光と称す）とにおける、偏光方向を異ならせて、所定の組み合わせに基づいて、第３受光手段、及び第４受光手段に夫々受光させることで、第１迷光による光の干渉の影響を、より効果的に低減することが可能である。【００２９】
本発明の光ピックアップの他の態様では、前記レーザ光が、前記第２記録層に合焦点した場合、前記第１記録層において発生する第１迷光に対して、前記第２領域は、前記第１迷光の第２部分（S2b）の偏光方向を前記第２方向（α度）にさせ、前記第３領域は、前記第１迷光の第３部分（S3b）の偏光方向を前記第１方向（α+90度）にさせ、前記第３受光手段（F1+F2）は、前記第１迷光の第２部分（S2b）が照射されるように配置され、前記第４受光手段（F3+F4）は、前記第１迷光の第３部分（S3b）が照射されるように配置される。【００３０】
この態様によれば、第２記録層に合焦点した場合、光学素子を透過した、（i）第２記録層からの第２信号光と、（ii）第１記録層からの第１迷光とにおける、偏光方向を異ならせて、所定の組み合わせに基づいて、第３受光手段、及び第４受光手段に夫々受光させることで、第１迷光による光の干渉の影響を、より効果的に低減することが可能である。【００３１】
本発明の光ピックアップの他の態様では、前記第１方向と、前記第２方向とは、相対的に偏光面が９０度だけ異なる。【００３２】
この態様によれば、偏光方向が相対的に９０度だけ異なる、（i）第１信号光と、（ii）例えば第２迷光とにおける、光の干渉の影響を、より効果的に低減することが可能である。【００３３】
本発明の光ピックアップの他の態様では、（i）前記第１領域、及び前記第３領域、並びに、（ii）前記第２領域、及び前記第４領域のうちいずれか一方は、λ／２波長板である。【００３４】
この態様によれば、偏光方向が相対的に９０度だけ異なる、第１信号光と、第２迷光とにおける、光の干渉の影響を、より効果的に低減することが可能である。【００３５】
本発明の光ピックアップの他の態様では、（i）前記第１領域、及び前記第４領域、又は（ii）前記第２領域、及び前記第３領域が形成される幅は、（iii）前記第１信号光の光径における、前記第２記録層からの第２迷光との影響が相対的に大きい領域の面積若しくは形状、及び（iv）前記第１信号光の光径の中心の位置に基づいて規定される。【００３６】
この態様によれば、信号光の光径における各種のパラメータに基づいて、第１又は第２受光手段によって、偏光方向が異なる、第１信号光と、第２迷光との影響が相対的に大きい領域の面積若しくは形状に基づいて適切に合わせて受光することが可能である。ここに、本願発明に係る「光径」とは、レーザ光の光学軸に基づいて測定可能な直径（若しくは半径）等の物理的な長さを意味する。特に、この「光径」は、例えば集光レンズ等の他の光学系における光学的な特性（例えば光学倍率や、回折角度や、主点の位置や、焦点距離等）に基づいて、一義的に決定されるようにしてもよい。従って、偏光方向が異なる、第１信号光と、第２迷光とにおける、光の干渉の影響を、より効果的に低減することが可能である。【００３７】
本発明の光ピックアップの他の態様では、照射された前記レーザ光を回折させる回折手段（例えば、回折格子）を更に備え、（i）前記第１領域、及び前記第４領域、又は（ii）前記第２領域、及び前記第３領域が形成される幅の（iii）最小値は、前記第１信号光の光径における、前記第２記録層からの第２迷光との影響が相対的に大きい領域の面積若しくは形状に基づいて規定され、（iv）最大値は、前記第１信号光の回折光成分（±1次光）の光径及び回折角度に基づいて規定される。【００３８】
この態様によれば、（i）第１領域、及び第４領域、又は（ii）前記第２領域、及び前記第３領域が形成される幅の最小値に基づいて、偏光方向が異なる、第１信号光と、第２迷光とにおける、光の干渉の影響を、より効果的に低減することが可能である。加えて、（i）第１領域、及び第４領域、又は（ii）第２領域、及び第３領域が形成される幅の最大値に基づいて、多層型の情報記録媒体における、例えば１ビーム又は３ビーム法に基づくトラッキング制御や、フォーカス制御において、迷光の影響を効果的に低減させ、光強度のレベルをより高く維持させた状態の下で、第１信号光を、第１又は第２受光手段に受光させ、高精度なトラッキング制御を実現することが可能である。【００３９】
本発明の光ピックアップの他の態様では、（i）前記第１領域、及び前記第３領域、並びに、（ii）前記第２領域、及び前記第４領域は、所定の空間周波数に基づいて、振幅格子として機能する透過型回折格子として、夫々形成されている。
【００４０】
この態様によれば、所定の空間周波数に基づいて、本発明に係る光学素子を、より高精度に実現することが可能である。【００４１】
本発明の光ピックアップの他の態様では、受光された前記第１信号光に基づいて、前記レーザ光を前記第１記録層に有される記録トラックに導くように前記光学系を制御する制御手段（トラッキング制御／フォーカス制御）を更に備える。【００４２】
この態様によれば、例えばトラッキング制御、又はフォーカス制御を行う制御手段の制御下で、多層型の情報記録媒体における、迷光の影響を効果的に低減させ、光強度のレベルをより高く維持させた状態の下で、第１及び第２受光手段に受光させ、高精度な、フォーカス制御、及び、トラッキング制御を実現することが可能である。【００４３】
（情報機器）
上記課題を解決するために、本発明の情報機器は、上述した本発明の光ピックアップ（但し、その各種態様を含む）と、前記レーザ光を前記光ディスクに照射することで、前記情報信号の記録又は再生を行う記録再生手段とを備える。【００４４】
本発明の情報機器によれば、上述した本発明の光ピックアップが有する各種利益と同様の利益を享受しながら、光ディスクに対して情報信号を記録し、又は光ディスクに記録された情報信号を再生することができる。【００４５】
本発明のこのような作用及び他の利得は次に説明する実施例から更に明らかにされる。【００４６】
以上説明したように、本発明の光ピックアップによれば、光源、光学系、光学素子、第１受光手段、及び第２受光手段を備える。この結果、２層型の情報記録媒体における、例えば１ビームによるトラッキング制御において、他の記録層からの、迷光の影響を効果的に低減させ、光強度（又は、光強度に対応される光の振幅）のレベルをより高く維持させた状態の下で、信号光を、受光部に受光させ、高精度な、トラッキング制御を実現することが可能である。【００４７】
或いは、本発明の情報機器によれば、光源、光学系、光学素子、受光手段、及び、記録再生手段を備える。この結果、２層型の情報記録媒体における、例えば１ビームによるトラッキング制御に基づく記録再生処理において、他の記録層からの、迷光の影響を効果的に低減させ、光強度（又は、光強度に対応される光の振幅）のレベルをより高く維持させた状態の下で、信号光を、受光部に受光させ、高精度な、トラッキング制御を実現することが可能である。
【図面の簡単な説明】
【００４８】
【図１】本発明の情報記録装置の実施例に係る情報記録再生装置、及び、ホストコンピュータの基本構成を示したブロック図である。
【図２】本実施例に係る情報記録再生装置３００に有される光ピックアップ１００のより詳細な構成を概念的に示すブロック図である。
【図３】一般的な光ピックアップ内での、信号光と迷光とにおける、光の干渉を概念的に示す一の模式図である。
【図４】一般的な光ピックアップ内での、信号光と迷光とにおける、光の干渉を概念的に示す他の模式図である。
【図５】一般的な光ピックアップ内での受光部に受光された光径において、光の干渉が発生しない場合の光強度を、濃淡によって示した平面図（図５（ａ））、及び、一般的な光ピックアップ内での受光部に受光された光径において、光の干渉が発生した場合の光強度を、濃淡によって示した平面図（図５（ｂ））である。
【図６】本実施例に係る、光ピックアップに有される、波長板と、受光部との配置を図式的に示す断面図（図６（ａ））、及び、受光部の受光面を、図式的に示す平面図（図６（ｂ））である。
【図７】本実施例に係る、光ピックアップに有される、波長板の受光面、信号光の光径、及び、波長板を透過した信号光の成分を、図式的に示す平面図である。
【図８】本実施例に係る、光ピックアップに有される、波長板における振幅格子としての光学的な機能を図式的に示した模式図（図８（ａ）及び図８（ｂ））、並びに、波長板における位相格子としての光学的な機能を図式的に示した模式図（図８（ｃ））である。
【図９】本実施例に係る、光ピックアップ内での受光部に受光された光径において、光の干渉が発生した場合の光強度を、濃淡によって示した平面図（図９（ａ））、本実施例に係る、光ピックアップ内での受光部に受光された光径と、不感帯の幅と、間係を示した平面図（図９（ｂ））、本実施例に係る、不感帯の幅と、ノイズレベルとの間係を示した表（図９（ｃ））である。
【図１０】本実施例に係る、複数の受光部と、複数の受光部において夫々受光される、複数の信号光との対応間係を図式的に示した模式図である。
【図１１】本実施例に係る、複数の受光部において夫々受光される、複数の信号光と、複数の受光部において照射される迷光との位置間係を図式的に示した一及び他の模式図（図１１（ａ）及び図１１（ｂ））である。
【図１２】本実施例に係る、トラッキング制御を図式的に示す模式図（図１２（ａ））、及び、比較例に係る、ＤＰＤ（Differential Phase Detection）方式に基づいた、トラッキング制御を図式的に示す模式図（図１２（ｂ））である。
【図１３】比較例に係る受光部と、光径との相対的な位置関係を示した平面図である。
【符号の説明】
【００４９】
１０  光ディスク
１００  光ピックアップ
１０１      半導体レーザ
１０２      回折格子
１０３等    集光レンズ
１０５      光路分岐素子
１０７      １／４波長板
１１０      シリンドリカルレンズ
１１１      波長板
ＰＤ等      受光部
３００  情報記録再生装置
３０２  信号記録再生手段
【発明を実施するための最良の形態】
【００５０】
以下、本発明を実施するための最良の形態について実施例毎に順に図面に基づいて説明する。【００５１】
（１）情報記録再生装置の実施例
先ず、図１を参照して、本発明の情報記録装置の実施例の構成及び動作について詳細に説明する。特に、本実施例は、本発明に係る情報記録装置を光ディスク用の情報記録再生装置に適用した例である。【００５２】
（１−１）基本構成
先ず、図１を参照して、本発明の情報記録装置に係る実施例における情報記録再生装置３００及び、ホストコンピュータ４００の基本構成について説明する。ここに、図１は、本発明の情報記録装置の実施例に係る情報記録再生装置、及び、ホストコンピュータの基本構成を示したブロック図である。尚、情報記録再生装置３００は、光ディスク１０に記録データを記録する機能と、光ディスク１０に記録された記録データを再生する機能とを備える。【００５３】
図１を参照して情報記録再生装置３００の内部構成を説明する。情報記録再生装置３００は、ドライブ用のＣＰＵ（Central Processing Unit）３１４の制御下で、光ディスク１０に情報を記録すると共に、光ディスク１０に記録された情報を読み取る装置である。【００５４】
情報記録再生装置３００は、光ディスク１０、光ピックアップ１００、信号記録再生手段３０２、アドレス検出部３０３、ＣＰＵ（ドライブ制御手段）３１４、スピンドルモータ３０６、メモリ３０７、データ入出力制御手段３０８、及びバス３０９を備えて構成されている。【００５５】
また、ホストコンピュータ４００は、ＣＰＵ（ホスト制御手段）４０１、メモリ４０２、操作制御手段４０３、操作ボタン４０４、表示パネル４０５、データ入出力制御手段４０６、及びバス４０７を備えて構成される。【００５６】
特に、情報記録再生装置３００は、例えばモデム等の通信手段を備えたホストコンピュータ４００を同一筐体内に収めることにより、外部ネットワークと通信可能となるように構成してもよい。或いは、例えばｉ−ｌｉｎｋ等の通信手段を備えたホストコンピュータ４００のＣＰＵ（ホスト制御手段）４０１が、データ入出力制御手段３０８、及びバス３０９を介して、直接的に、情報記録再生装置３００を制御することによって、外部ネットワークと通信可能となるように構成してもよい。【００５７】
光ピックアップ１００は光ディスク１０への記録再生を行うもので、半導体レーザ装置とレンズから構成される。より詳細には、光ピックアップ１００は、光ディスク１０に対してレーザービーム等の光ビームを、再生時には読み取り光として第１のパワーで照射し、記録時には書き込み光として第２のパワーで且つ変調させながら照射する。【００５８】
信号記録再生手段３０２は、光ピックアップ１００とスピンドルモータ３０６とを制御することで光ディスク１０に対して記録又は再生を行う。より具体的には、信号記録再生手段３０２は、例えば、レーザダイオードドライバ（ＬＤドライバ）及びヘッドアンプ等によって構成されている。レーザダイオードドライバは、光ピックアップ１００内に設けられた図示しない半導体レーザを駆動する。ヘッドアンプは、光ピックアップ１００の出力信号、即ち、光ビームの反射光を増幅し、該増幅した信号を出力する。より詳細には、信号記録再生手段３０２は、ＯＰＣ（Optimum Power Control）処理時には、ＣＰＵ３１４の制御下で、図示しないタイミング生成器等と共に、ＯＰＣパターンの記録及び再生処理により最適なレーザパワーの決定が行えるように、光ピックアップ１００内に設けられた図示しない半導体レーザを駆動する。特に、信号記録再生手段３０２は、光ピックアップ１００と共に、本発明に係る「記録再生手段」の一例を構成する。【００５９】
アドレス検出部３０３は、信号記録再生手段３０２によって出力される、例えばプリフォーマットアドレス信号等を含む再生信号から光ディスク１０におけるアドレス（アドレス情報）を検出する。【００６０】
ＣＰＵ（ドライブ制御手段）３１４は、バス３０９を介して、各種制御手段に指示を行うことで、情報記録再生装置３００全体の制御を行う。尚、ＣＰＵ３１４が動作するためのソフトウェア又はファームウェアは、メモリ３０７に格納されている。特に、ＣＰＵ３１４は、本発明に係る「制御手段」の一例を構成する。【００６１】
スピンドルモータ３０６は光ディスク１０を回転及び停止させるもので、光ディスクへのアクセス時に動作する。より詳細には、スピンドルモータ３０６は、図示しないサーボユニット等によりスピンドルサーボを受けつつ所定速度で光ディスク１０を回転及び停止させるように構成されている。【００６２】
メモリ３０７は、記録再生データのバッファ領域や、信号記録再生手段３０２で使用出来るデータに変換する時の中間バッファとして使用される領域など情報記録再生装置３００におけるデータ処理全般及びＯＰＣ処理において使用される。また、メモリ３０７はこれらレコーダ機器としての動作を行うためのプログラム、即ちファームウェアが格納されるＲＯＭ領域と、記録再生データの一時格納用バッファや、ファームウェアプログラム等の動作に必要な変数が格納されるＲＡＭ領域などから構成される。【００６３】
データ入出力制御手段３０８は、情報記録再生装置３００に対する外部からのデータ入出力を制御し、メモリ３０７上のデータバッファへの格納及び取り出しを行う。情報記録再生装置３００と、ＳＣＳＩやＡＴＡＰＩ等のインターフェースを介して接続されている外部のホストコンピュータ４００（以下、適宜ホストと称す）から発行されるドライブ制御命令は、当該データ入出力制御手段３０８を介してＣＰＵ３１４に伝達される。また、記録再生データも同様にして、当該データ入出力制御手段３０８を介して、ホストコンピュータ４００に対して送受信される。【００６４】
ホストコンピュータ４００における、ＣＰＵ（ホスト制御手段）４０１、メモリ４０２、データ入出力制御手段４０６、及びバス４０７は、これらに対応される、情報記録再生装置３００内の構成要素と、概ね同様である。【００６５】
操作制御手段４０３は、ホストコンピュータ４００に対する動作指示受付と表示を行うもので、例えば記録又は再生といった操作ボタン４０４による指示をＣＰＵ４０１に伝える。ＣＰＵ４０１は、操作制御手段４０３からの指示情報を元に、データ入出力手段４０６を介して、情報記録再生装置３００に対して制御命令（コマンド）を送信し、情報記録再生装置３００全体を制御するように構成してもよい。同様に、ＣＰＵ４０１は、情報記録再生装置３００に対して、動作状態をホストに送信するように要求するコマンドを送信することができる。これにより、記録中や再生中といった情報記録再生装置３００の動作状態が把握できるためＣＰＵ４０１は、操作制御手段４０３を介して蛍光管やＬＣＤなどの表示パネル４０５に情報記録再生装置３００の動作状態を出力することができる。【００６６】
以上説明した、情報記録再生装置３００とホストコンピュータ４００を組み合わせて使用する一具体例は、映像を記録再生するレコーダ機器等の家庭用機器である。このレコーダ機器は放送受信チューナや外部接続端子からの映像信号をディスクに記録し、テレビなど外部表示機器にディスクから再生した映像信号を出力する機器である。メモリ４０２に格納されたプログラムをＣＰＵ４０１で実行させることでレコーダ機器としての動作を行っている。また、別の具体例では、情報記録再生装置３００はディスクドライブ（以下、適宜ドライブと称す）であり、ホストコンピュータ４００はパーソナルコンピュータやワークステーションである。パーソナルコンピュータ等のホストコンピュータとドライブはＳＣＳＩやＡＴＡＰＩといったデータ入出力制御手段３０８（４０６）を介して接続されており、ホストコンピュータにインストールされているライティングソフトウェア等のアプリケーションが、ディスクドライブを制御する。【００６７】
（２）  光ピックアップ  
（２−１）  光ピックアップの基本構成  
次に、図２を参照して、本実施例に係る情報記録再生装置３００が備える光ピックアップ１００のより詳細な構成について説明する。ここに、図２は、本実施例に係る情報記録再生装置３００に有される光ピックアップ１００のより詳細な構成を概念的に示すブロック図である。【００６８】
図２に示すように、光ピックアップ１００は、半導体レーザ１０１（即ち、本発明に係る光源の一具体例）と、回折格子１０２（即ち、本発明に係る回折手段の一具体例）と、集光レンズ（コリメータレンズ）１０３と、光路分岐素子（ハーフミラー）１０５と、反射ミラー１０６と、１／４波長板１０７と、集光レンズ１０８と、集光レンズ１０９と、シリンドリカルレンズ１１０と、波長板１１１と、受光部ＰＤ０と、受光部ＰＤ１ａと、受光部ＰＤ１ｂと、を備えて構成されている。従って、レーザ光ＬＢは、次の順番で、半導体レーザ１０１から射出され、各素子を介して、受光部ＰＤ０等に受光される。即ち、所謂、光路上の往路として、光ディスクの一の記録層に導かれる際には、半導体レーザ１０１から射出されたレーザ光ＬＢは、回折格子１０２、集光レンズ１０３と、光機能素子１０４、光路分岐素子１０５、反射ミラー１０６、１／４波長板１０７、及び、集光レンズ１０８を介して、一の記録層に導かれる。他方、所謂、光路上の復路として、一の記録層に反射されたレーザ光ＬＢは、集光レンズ１０８、１／４波長板１０７、反射ミラー１０６、光路分岐素子１０５、集光レンズ１０９、シリンドリカルレンズ１１０を介して、受光部ＰＤ０に受光される。【００６９】
尚、集光レンズ１０３、１０８及び１０９、光路分岐素子１０５、反射ミラー１０６、１／４波長板１０７、シリンドリカルレンズ１１０によって、本発明に係る光学系の一具体例が構成されている。また、受光部ＰＤ０、ＰＤ１ａ、及びＰＤ１ｂによって、本発明に係る受光手段の一具体例が構成されている。【００７０】
半導体レーザ１０１は、例えば水平方向に比べて垂直方向に拡がった楕円形状の発光パターンで、レーザ光ＬＢを射出する。【００７１】
回折格子１０２は、半導体レーザ１０１から射出されたレーザ光を、０次光（所謂、主ビーム）と、＋１次回折光及び−１次回折光（所謂、副ビーム）とに回折する。特に、一つの信号光（所謂、１ビーム）に基づく、トラッキング制御を行う場合、この回折格子１０２は、省略するようにしてもよい。【００７２】
集光レンズ１０３は、入射されたレーザ光ＬＢを略平行光にして、光機能素子１０４へと入射させる。【００７３】
光路分岐素子１０５は、例えばビームスプリッタ（PBS：Polarized Beam Splitter）等の、偏光方向に基づいて、光路を分岐させる光学素子である。具体的には、偏光方向が一の方向であるレーザ光ＬＢを、光量の損失が殆ど又は完全にない状態で、透過させ、光ディスクの側から入射される、偏光方向が他の方向であるレーザ光ＬＢ（即ち、レーザ光ＬＢの光ディスク１０からの反射光）を光量の損失が殆ど又は完全にない状態で反射する。光路分岐素子１０５において反射された反射光は、集光レンズ１０９、及び、シリンドリカルレンズ１１０を介して受光部ＰＤ０、ＰＤ１ａ及びＰＤ１ｂに受光される。【００７４】
反射ミラーは、レーザ光ＬＢを、光量の損失が殆ど又は完全にない状態で、反射させる。【００７５】
１／４波長板１０７は、レーザ光に、９０度の位相差を与えることによって、直線偏光のレーザ光を円偏光に変換させると共に、円偏光のレーザ光を直線偏光に変換させることが可能である。【００７６】
集光レンズ１０８は、入射するレーザ光ＬＢを集光して、光ディスク１０の記録面上に照射する。詳細には、集光レンズ１０８は、例えばアクチュエータ部を備えて構成されており、集光レンズ１０８の配置位置を変更するための駆動機構を有している。より具体的には、アクチュエータ部は、対物レンズ１０８の位置をフォーカス方向に移動させることで、光ディスクにおける一の記録層（例えばＬ０層）と、他の記録層（例えばＬ１層）とに合焦点することが可能である。【００７７】
集光レンズ１０９は、光路分岐素子１０５において反射された反射光を集光する。【００７８】
シリンドリカルレンズ１１０は、非点収差法に基づくフォーカス制御のために、非点収差を受光部ＰＤにおいて発生させる。【００７９】
受光部ＰＤは、受光部ＰＤ０、ＰＤ１ａ及びＰＤ１ｂを備えて構成されている。受光部ＰＤ０は、０次光を受光し、受光部ＰＤ１ａは、＋１次回折光を受光し、受光部ＰＤ１ｂは、−１次回折光を受光する。【００８０】
（２−１）  信号光と、迷光とにおける、光の干渉  
次に、図３から図５を参照して、一般的な光ピックアップ内での、信号光と迷光とにおける、光の干渉について説明する。ここに、図３は、一般的な光ピックアップ内での、信号光と迷光とにおける、光の干渉を概念的に示す一の模式図である。図４は、一般的な光ピックアップ内での、信号光と迷光とにおける、光の干渉を概念的に示す他の模式図である。図５は、一般的な光ピックアップ内での受光部に受光された光径において、光の干渉が発生しない場合の光強度を、濃淡によって示した平面図（図５（ａ））、及び、一般的な光ピックアップ内での受光部に受光された光径において、光の干渉が発生した場合の光強度を、濃淡によって示した平面図（図５（ｂ））である。尚、図５中において、光強度が相対的に高いレベルにあるほど、薄く（白く）なっており、光強度が相対的に低いレベルにあるほど、濃く（黒く）なっている。【００８１】
図３に示されるように、奥側の記録層（前述の図２中の他の記録層）に対して、記録又は再生処理を行った場合、０次光を受光する受光部ＰＤ０、＋１次光を受光する受光部ＰＤ１ａ、及び−１次光を受光する受光部ＰＤ１ｂを含む領域において、０次光の迷光は、デフォーカスされて（ぼんやりと）照射される。特に、０次光の迷光の焦点位置は、光学軸上、レーザ光が照射される側から見て、受光部ＰＤの後ろ側にある。【００８２】
他方、図４に示されるように、手前側の記録層（前述の図２中の一の記録層）に対して、記録又は再生処理を行った場合、０次光を受光する受光部ＰＤ０、＋１次光を受光する受光部ＰＤ１ａ、及び−１次光を受光する受光部ＰＤ１ｂを含む領域において、０次光の迷光は、デフォーカスされて（ぼんやりと）照射される。特に、０次光の迷光の焦点位置は、光学軸上、レーザ光が照射される側から見て、受光部ＰＤの手前側にある。【００８３】
そのため、図５に示される、受光部の受光面において、受光される、レーザ光の光強度の分布は、迷光による光の干渉がない場合（図５（ａ）中の薄く（白く）部分を参照）と比較して、迷光による光の干渉が存在する場合、干渉パターンによって、光強度のレベルが、光束内で、微細に変動してしまう（図５（ｂ）中の白黒の縞模様の部分を参照）。本発明では、迷光の影響を低減させ、信号光の品位（品質）を高いレベルに維持させることを主な目的とする。【００８４】
（３）  波長板と受光部  
次に、図６から図９を参照して、本実施例に係る、光ピックアップに有される波長板（即ち、本発明に係る「光学素子」の一具体例）と、受光部（即ち、本発明に係る「第１受光手段」から「第４受光手段」）の基本構成、配置、及び、光学的な原理について説明する。【００８５】
（３−１）  波長板と、受光部との配置  
先ず、図６を参照して、本実施例に係る、光ピックアップに有される、波長板と、受光部の配置について説明する。ここに、図６は、本実施例に係る、光ピックアップに有される、波長板と、受光部との配置を図式的に示す断面図（図６（ａ））、及び、受光部の受光面を、図式的に示す平面図（図６（ｂ））である。【００８６】
図６（ａ）に示されるように、本実施例に係る、光ピックアップに有される、波長板１１１は、シリンドリカルレンズ１１０と、受光部ＰＤとの間に配置される。そして、図６（ｂ）に示されるように、受光部ＰＤは、光ディスクの接線方向、所謂、Ｔａｎ方向に並んで、三つに大別された受光部が配置される。具体的には、図６（ｂ）の上側部（平面図上では前方部）において、光ディスクの半径方向（Ｒａｄ方向：プッシュプル信号を受光するための方向、即ち、本発明の基準方向の一具体例）に並んで、受光部ＰＤ１、及び受光部ＰＤ２が配置される。図６（ｂ）の中心部（平面図上でも中心部）において、受光部ＰＤ０が配置される。図６（ｂ）の下側部（平面図上では後方部）において、光ディスクの半径方向に並んで、受光部ＰＤ３、及び受光部ＰＤ４が配置される。【００８７】
（３−２）  波長板の基本構成  
次に、図７から図９を参照して、本実施例に係る、光ピックアップに有される、波長板の基本構成について説明する。ここに、図７は、本実施例に係る、光ピックアップに有される、波長板の受光面、信号光の光径、及び、波長板を透過した信号光の成分を、図式的に示す平面図である。図８は、本実施例に係る、光ピックアップに有される、波長板における振幅格子としての光学的な機能を図式的に示した模式図（図８（ａ）及び図８（ｂ））、並びに、波長板における位相格子としての光学的な機能を図式的に示した模式図（図８（ｃ））である。【００８８】
図７の上側部に示されるように、本実施例に係る、光ピックアップに有される、波長板１１１は、前述したＴａｎ方向を中心軸にして、線対称に、４つの領域、即ち、領域「１０」、領域「２０」、領域「３０」、及び領域「４０」を備えて構成されている。具体的には、領域「１０」と、領域「４０」とが中心軸を基準として、線対称になっており、領域「２０」と、領域「３０」とが中心軸を基準として、線対称になっている。加えて、上述した４つの領域「１０」、領域「２０」、領域「３０」、及び領域「４０」は、夫々、前述したＲａｄ方向を基準として、線対称となる形状をしている。【００８９】
特に、領域「２０」及び領域「４０」は、透過したレーザ光の偏光方向を、第１方向（例えばα+90度）に変化させる。領域「２０」及び領域「４０」は、複屈折に基づいて、例えば常光線の位相と、異常光線の位相とに、所定の量の位相差（即ち１８０度の位相差）を生じさせることが可能である。よって、領域「２０」及び領域「４０」を透過したレーザ光は、領域「２０」及び領域「４０」を透過しないレーザ光と比較して、偏光方向を９０度だけ変化させることが可能である。また、領域「１０」及び領域「３０」は、透過したレーザ光の偏光方向を変化させない、又は、偏光方向は、第２方向（例えばα度（０度））のままである。【００９０】
（３−２−１）  振幅格子  
詳細には、本実施例に係る、波長板１１１を構成する領域「１０」から領域「４０」は、振幅格子として夫々機能する。ここに、本実施例に係る振幅格子とは、例えば、偏光方向が一の方向である光を基準として、例えば所定の空間周波数に基づいて、光の振幅（即ち、光強度）を変化させる、所謂、透過型の回折格子である。【００９１】
上述したように、例えば所定の空間周波数に基づいて、構成された、領域「２０」又は領域「４０」を透過する、信号光の一部の偏光方向は、第１方向（例えばα+90度）に変化される。と共に、迷光の一部の偏光方向も、第１方向に変化される。他方、領域「１０」又は領域「３０」を透過する、信号光の他部の偏光方向は、第１方向と異なる、第２方向（例えばα度（０度））に変化される、又は、偏光方向は変化されない。と共に、迷光の一部の偏光方向も、例えば、第２方向に変化される、又は、変化されない。【００９２】
従って、図８（ａ）に示されるように、波長板１１１を透過した光のうち、偏光方向が、第１方向（α+90度）である光を基準とした光強度は、領域「２０」又は領域「４０」を透過した、信号光の一部、及び、迷光の一部に基づいて、規定される。加えて、領域「２０」又は領域「４０」を透過した、信号光の他部、及び、迷光の他部は、偏光方向が、第１方向である光を基準とした光強度に、影響を与えることは殆ど又は完全にない。具体的には、領域「２０」又は領域「４０」は、偏光方向が、第１方向（α+90度）である光を、光強度（又は光の振幅）を１００％維持させたまま、透過させる。加えて、領域「２０」又は領域「４０」は、偏光方向が、第２方向（α度）である光を、光強度（又は光の振幅）を０％にさせる、即ち、遮断させる。【００９３】
概ね同様にして、図８（ｂ）に示されるように、波長板１１１を透過した光のうち、偏光方向が、第２方向（α度）である光を基準とした光強度は、領域「１０」又は領域「３０」を透過した、信号光の他部、及び、迷光の他部に基づいて、規定される。加えて、領域「１０」又は領域「３０」を透過した、信号光の一部、及び、迷光の一部は、偏光方向が、第２方向である光を基準とした光強度に、影響を与えることは殆ど又は完全にない。具体的には、領域「１０」又は領域「３０」は、偏光方向が、第２方向（α度）である光を、光強度（又は光の振幅）を１００％維持させたまま、透過させる。加えて、領域「１０」又は領域「３０」は、偏光方向が、第１方向（α+90度）である光を、光強度（又は光の振幅）を０％にさせる、即ち、遮断させる。尚、上述した振幅格子としての機能を、図８（ｃ）に示された、例えば位相格子の各種のパラメータ（屈折率や、位相差（例えば「λ／２」−「λ／４」）に基づいて実現するようにしてもよい。【００９４】
（３−２−２）  不感帯の幅
加えて、領域「１０」と、領域「４０」とは、Ｒａｄ方向、即ち、光ディスクの半径方向に、所定距離（即ち、図７中の「Ａ点」と「Ｂ点」との間の距離）だけ離れて配置されるようにしてもよい。詳細には、この所定距離は、不感帯の幅に基づいて、規定されるようにしてもよい。【００９５】
（３−２−３）  本願発明者による研究  
ここで、図９を参照して、本願発明者による研究に基づいて、本実施例に係る不感帯の幅について説明する。特に、この研究によって、干渉パターンの概ね中央部において、迷光の影響が定量的に測定された。ここに、図９は、本実施例に係る、光ピックアップ内での受光部に受光された光径において、光の干渉が発生した場合の光強度を、濃淡によって示した平面図（図９（ａ））、本実施例に係る、光ピックアップ内での受光部に受光された光径と、不感帯の幅と、間係を示した平面図（図９（ｂ））、本実施例に係る、不感帯の幅と、ノイズレベルとの間係を示した表（図９（ｃ））である。【００９６】
本実施例に係る不感帯の幅とは、受光部に照射された信号光の光径の直径を基準として、光の透過を遮断（マスキング）することによって、信号光と、迷光との光の干渉の影響を低減させ、所定のレベルの光強度（又は、所定の光強度に対応されるプッシュプル信号の振幅）を取得可能な、所定の幅を意味する。尚、この不感帯の幅によって、本発明に係る「信号光の光径における、前記迷光との影響が相対的に大きい領域」の一具体例が構成されている。より詳細には、図９（ａ）に示された、受光部に照射された、光径に対して、図９（ｂ）に示されたように不感帯の幅を設定する。よって、図９（ｃ）に示されるように、不感帯の幅（横軸を参照）をパラメータとした、光強度のレベル（即ち、プッシュプル信号のレベル）、及びノイズのレベルの変化を示すグラフを得ることが可能である。尚、図９（ｃ）中、太い実線は、例えば青色ＬＤ（Laser Diode）のプッシュプル信号の振幅のレベルを示し、点線は、ＳＵＭ（Summary：合計）出力ノイズの振幅のレベルを示し、一点鎖線は、ＳＰＰ（Signal Pre Pit：プリピット信号）出力ノイズの振幅のレベルを示す。即ち、図９（ｃ）に示されるように、不感帯の幅が「２．０」から大きくなるに従って、ノイズレベルは、急激に低下することが示されている。そして、不感帯の幅が「３．０」においては、ノイズレベルを約７０％も低下させることが可能であることが示されている。【００９７】
以上の結果、迷光の影響を低減するために、偏光方向を直交させると好ましい、「信号光の光径における、前記迷光との影響が相対的に大きい領域」の最小値が、不感帯の幅に基づいて、決定されることが判明した。【００９８】
（３−２）  波長板の基本構成  （続き）
再び、図７に戻って、図７の中央部に示されるように、本実施例に係る、光ピックアップにおける、光ディスクにおいて発生した信号光は、前述した中心軸と、Ｒａｄ方向との交点を中心として、波長板１１１を透過する。尚、図７の中央部における点線の２つの円は、一般的な非点収差法に基づいた、＋１次回折光、及び−１次回折光を示す。【００９９】
従って、図７の中央部及び下側部に示されるように、信号光は、次の４つの部分を成分として有する。即ち、４つの部分とは、（i）領域「１０」を透過した、偏光方向が第２方向（例えばα度（０度））である、信号光の第１部分「１」、（ii）領域「２０」を透過した、偏光方向が第１方向（例えばα+90度）である、信号光の第２部分「２」、（iii）領域「３０」を透過した、偏光方向が第２方向（α度）である、信号光の第３部分「３」、並びに、（iv）領域「４０」を透過した、偏光方向が第１方向（α+90度）である、信号光の第４部分「４」である。【０１００】
（３−３）  トラッキング制御  
次に、図１０及び図１１を参照して、本実施例に係る、受光部において受光される、信号光に基づいた、トラッキング制御について説明する。ここに、図１０は、本実施例に係る、複数の受光部と、複数の受光部において夫々受光される、複数の信号光との対応間係を図式的に示した模式図である。図１１は、本実施例に係る、複数の受光部において夫々受光される、複数の信号光と、複数の受光部において照射される迷光との位置間係を図式的に示した一及び他の模式図（図１１（ａ）及び図１１（ｂ））である。図１２は、本実施例に係る、トラッキング制御を図式的に示す模式図（図１２（ａ））、及び、比較例に係る、ＤＰＤ（Differential Phase Detection）方式に基づいた、トラッキング制御を図式的に示す模式図（図１２（ｂ））である。【０１０１】
（３−３−１）  Ｌ０層におけるトラッキング制御  
図１０の右側に示されるように、２層型の光ディスクのうち、Ｌ０層（即ち、本発明に係る第１記録層の一具体例）に合焦点した場合、Ｌ０層からの信号光（以下、適宜「第１信号光」と称す）は、第１受光部ＰＤ１、及び第２受光部ＰＤ２に受光される。【０１０２】
詳細には、波長板１１１に有される、領域「１０」を透過した、偏光方向が第２方向（α度）である、第１信号光の第１部分「１」、並びに、領域「３０」を透過した、偏光方向が第２方向（α度）である、第１信号光の第３部分「３」は、第１受光部ＰＤ１（即ち、本発明に係る第１受光手段の一具体例）に受光される。より詳細には、第１信号光の第１部分「１」は、回折角度「＋θ１度」の方向（即ち、Ｒａｄ方向から半時計回りに回転した回折角度「＋θ１度」）に回折し、第１受光部ＰＤ１のうちの照射領域「Ｅ３」において、第１信号光の第１成分「１ａ」として受光される。概ね同様にして、第１信号光の第３部分「３」も、回折角度「＋θ１度」の方向に回折し、第１受光部ＰＤ１のうちの照射領域「Ｅ４」において、第１信号光の第３成分「３ａ」として受光される。【０１０３】
他方、波長板１１１に有される、領域「２０」を透過した、偏光方向が第１方向（α+90度）である、第１信号光の第２部分「２」、並びに、領域「４０」を透過した、偏光方向が第１方向（α+90度）である、第１信号光の第４部分「４」は、第２受光部ＰＤ２（即ち、本発明に係る第２受光手段の一具体例）に受光される。より詳細には、第１信号光の第２部分「２」は、回折角度「＋θ２度」の方向（即ち、Ｒａｄ方向から半時計回りに回転した回折角度「＋θ２度」）に回折し、第２受光部ＰＤ２のうちの照射領域「Ｅ２」において、第１信号光の第２成分「２ａ」として受光される。概ね同様にして、第１信号光の第４部分「４」も、回折角度「＋θ２度」の方向に回折し、第２受光部ＰＤ２のうちの照射領域「Ｅ１」において、第１信号光の第４成分「４ａ」として受光される。【０１０４】
また、本実施例では、図１１（ａ）に示されるように、２層型の光ディスクのうち、Ｌ０層に合焦点した場合、Ｌ１層（即ち、本発明に係る第２記録層の一具体例）からの迷光（以下、適宜「第２迷光」と称す）も、第１受光部ＰＤ１、及び第２受光部ＰＤ２において、デフォーカスされて（ぼんやりと）照射されている。【０１０５】
詳細には、波長板１１１に有される、領域「３０」を透過した、偏光方向が第２方向（α度）である、第２迷光の第３部分「Ｓ３ａ」は、第２受光部ＰＤ２を含むようにしつつ、デフォーカスされて（ぼんやりと）照射されている。尚、領域「１０」を透過した、偏光方向が第２方向（α度）である、第２迷光の第１部分「１ｘ」は、いずれの受光部に照射されない。【０１０６】
概ね同様にして、波長板１１１に有される、領域「２０」を透過した、偏光方向が第１方向（α+90度）である、第２迷光の第２部分「Ｓ２ａ」は、第１受光部ＰＤ１を含むようにしつつ、デフォーカスされて（ぼんやりと）照射されている。尚、領域「４０」を透過した、偏光方向が第１方向（α+90度）である、第２迷光の第４部分「４ｘ」は、いずれの受光部に照射されない。【０１０７】
従って、図１１（ａ）に示されるように、第１受光部ＰＤ１のうちの照射領域「Ｅ３」及び「Ｅ４」においては、偏光方向が第２方向（α度）である、第１信号光の第１成分「１ａ」及び第３成分「３ａ」が、偏光方向が第１方向（α+90度）である、第２迷光の第２部分「Ｓ２ａ」と合わせて、受光される。言い換えると、図１１（ａ）の紙面上では前面において、偏光方向が「α度」である、第１信号光の第１成分「１ａ」及び第３成分「３ａ」が、図１１（ａ）の紙面上では背面において偏光方向が「α＋９０度」である、第２迷光の第２部分「Ｓ２ａ」と、合わされているイメージで、受光される。【０１０８】
概ね同様にして、図１１（ａ）に示されるように、第２受光部ＰＤ２のうちの照射領域「Ｅ１」及び「Ｅ２」においては、偏光方向が第１方向（α+90度）である、第１信号光の第２成分「２ａ」及び第４成分「４ａ」が、偏光方向が第２方向（α度）である、第２迷光の第３部分「Ｓ３ａ」と合わせて、受光される。言い換えると、図１１（ａ）の紙面上では前面において、偏光方向が「α+90度」である、第１信号光の第２成分「２ａ」及び第４成分「４ａ」が、図１１（ａ）の紙面上では背面において偏光方向が「α度」である、第２迷光の第３部分「Ｓ３ａ」と、合わされているイメージで、受光される。【０１０９】
この結果、Ｌ０層に合焦点した場合、振幅格子として機能する領域が分割された波長板１１１を透過した、（i）Ｌ０層からの信号光と、（ii）Ｌ１層からの迷光とにおける、偏光方向を異ならせて、所定の組み合わせに基づいて、第１受光部ＰＤ１、及び第２受光部ＰＤ２に夫々受光させることで、迷光による光の干渉の影響を、より効果的に低減することが可能である。【０１１０】
更に、振幅格子として機能する波長板１１１によって、Ｌ０層からの信号光に対する、Ｌ１層からの迷光における、光の干渉の影響を効果的に低減することが可能である。言い換えると、迷光による光の干渉を受ける光が、振幅格子によって、回折されることで、光の干渉の影響も分散され、効果的に低減することが可能である。【０１１１】
特に、第２迷光の光径が、受光部の受光面において、大きくなっても、偏光方向が異なるので、第１信号光に与える影響は、殆ど又は完全にないと言える。【０１１２】
従って、図１２（ａ）に示されるように、第１受光部ＰＤ１で受光される信号光の成分と、第１受光部ＰＤ１で受光される信号光の成分と、の差分であるトラッキング誤差信号に基づいて、トラッキング制御が行われる。具体的には、次の式（１）に基づいて、トラッキング誤差信号が検出される。【０１１３】
（トラッキング誤差信号「Ａ」）＝（Ｅ１＋Ｅ２）  −  （Ｅ３＋Ｅ４）  ……（１）
即ち、トラッキング誤差信号「Ａ」は、（i）第１受光部ＰＤ１のうちの照射領域「Ｅ３」で受光される第１信号光の第１成分「１ａ」と、第１受光部ＰＤ１のうちの照射領域「Ｅ４」で受光される第１信号光の第３成分「３ａ」との和の値と、（ii）第２受光部ＰＤ２のうちの照射領域「Ｅ１」で受光される第１信号光の第４成分「４ａ」と、第２受光部ＰＤ２のうちの照射領域「Ｅ２」で受光される第１信号光の第２成分「２ａ」との和の値との差分である。詳細には、トラッキング誤差信号「Ａ」の値の正負に基づいて、照射されるレーザ光（レーザービーム）を、図１２（ａ）に示すように、上下方向に移動させることが可能である。【０１１４】
この結果、図１２（ｂ）に示される、従来のＤＰＤ（Differential Phase Detection）方式に基づいた、トラッキング制御と、受光部のパターンを共有することが可能である。従って、本実施例によれば、１ビームによるトラッキング制御に加えて、従来の３ビームによるＤＰＤ方式に基づいた、トラッキング制御を実現することが可能である。【０１１５】
更に、本実施例において、波長板１１１を、青色レーザー、及び赤色レーザーに対応させ、ＢＤ（Blu-ray Disc）、及びＤＶＤを再生可能であるようにしてもよい。或いは、３ビームに基づいて、ＣＤを再生可能であるようにしてもよい。【０１１６】
（３−３−２）  Ｌ１層におけるトラッキング制御  
他方、図１０の右側に示されるように、２層型の光ディスクのうち、Ｌ１層（即ち、本発明に係る第２記録層の一具体例）に合焦点した場合、Ｌ１層からの信号光（以下、適宜「第２信号光」と称す）は、第３受光部ＰＤ３、及び第４受光部ＰＤ４に受光される。【０１１７】
詳細には、波長板１１１に有される、領域「１０」を透過した、偏光方向が第２方向（α度）である、第２信号光の第１部分「１」、並びに、領域「３０」を透過した、偏光方向が第２方向（α度）である、第２信号光の第３部分「３」は、第３受光部ＰＤ３（即ち、本発明に係る第３受光手段の一具体例）に受光される。より詳細には、第２信号光の第１部分「１」は、回折角度「＋θ１＋１８０度」の方向（即ち、Ｒａｄ方向から半時計回りに回転した回折角度「＋θ１＋１８０度」）に回折し、第３受光部ＰＤ３のうちの照射領域「Ｆ１」において、第２信号光の第１成分「１ｂ」として受光される。概ね同様にして、第２信号光の第３部分「３」も、回折角度「＋θ１＋１８０度」の方向に回折し、第３受光部ＰＤ３のうちの照射領域「Ｆ２」において、第２信号光の第３成分「３ｂ」として受光される。【０１１８】
他方、波長板１１１に有される、領域「２０」を透過した、偏光方向が第１方向（α+90度）である、第２信号光の第２部分「２」、並びに、領域「４０」を透過した、偏光方向が第１方向（α+90度）である、第２信号光の第４部分「４」は、第４受光部ＰＤ４（即ち、本発明に係る第４受光手段の一具体例）に受光される。より詳細には、第２信号光の第２部分「２」は、回折角度「＋θ２＋１８０度」の方向（即ち、Ｒａｄ方向から半時計回りに回転した回折角度「＋θ２＋１８０度」）に回折し、第４受光部ＰＤ４のうちの照射領域「Ｆ３」において、第２信号光の第２成分「２ｂ」として受光される。概ね同様にして、第２信号光の第４部分「４」も、回折角度「＋θ２＋１８０度」の方向に回折し、第４受光部ＰＤ４のうちの照射領域「Ｆ４」において、第２信号光の第４成分「４ｂ」として受光される。【０１１９】
また、本実施例では、図１１（ｂ）に示されるように、２層型の光ディスクのうち、Ｌ１層に合焦点した場合、Ｌ０層からの迷光（以下、適宜「第１迷光」と称す）も、第３受光部ＰＤ３、及び第４受光部ＰＤ４において、デフォーカスされて（ぼんやりと）照射されている。【０１２０】
詳細には、波長板１１１に有される、領域「３０」を透過した、偏光方向が第２方向（α度）である、第１迷光の第３部分「Ｓ３ｂ」は、第４受光部ＰＤ４を含むようにしつつ、デフォーカスされて（ぼんやりと）照射されている。尚、領域「１０」を透過した、偏光方向が第２方向（α度）である、第１迷光の第１部分「１ｘ」は、いずれの受光部に照射されない。【０１２１】
概ね同様にして、波長板１１１に有される、領域「２０」を透過した、偏光方向が第１方向（α+90度）である、第１迷光の第２部分「Ｓ２ｂ」は、第３受光部ＰＤ３を含むようにしつつ、デフォーカスされて（ぼんやりと）照射されている。尚、領域「４０」を透過した、偏光方向が第１方向（α+90度）である、第１迷光の第４部分「４ｘ」は、いずれの受光部に照射されない。【０１２２】
従って、図１１（ｂ）に示されるように、第３受光部ＰＤ３のうちの照射領域「Ｆ１」及び「Ｆ２」においては、偏光方向が第２方向（α度）である、第２信号光の第１成分「１ｂ」及び第３成分「３ｂ」が、偏光方向が第１方向（α+90度）である、第１迷光の第２部分「Ｓ２ｂ」と合わせて、受光される。言い換えると、図１１（ｂ）の紙面上では前面において、偏光方向が「α度」である、第２信号光の第１成分「１ｂ」及び第３成分「３ｂ」が、図１１（ｂ）の紙面上では背面において偏光方向が「α＋９０度」である、第１迷光の第２部分「Ｓ２ｂ」と、合わされているイメージで、受光される。【０１２３】
概ね同様にして、図１１（ｂ）に示されるように、第４受光部ＰＤ４のうちの照射領域「Ｆ３」及び「Ｆ４」においては、偏光方向が第１方向（α+90度）である、第２信号光の第２成分「２ｂ」及び第４成分「４ｂ」が、偏光方向が第２方向（α度）である、第１迷光の第３部分「Ｓ３ｂ」と合わせて、受光される。言い換えると、図１１（ｂ）の紙面上では前面において、偏光方向が「α+90度」である、第２信号光の第２成分「２ｂ」及び第４成分「４ｂ」が、図１１（ｂ）の紙面上では背面において偏光方向が「α度」である、第１迷光の第３部分「Ｓ３ｂ」と、合わされているイメージで、受光される。【０１２４】
従って、図１２（ａ）に示されるように、第３受光部ＰＤ３で受光される信号光の成分と、第４受光部ＰＤ４で受光される信号光の成分と、の差分であるトラッキング誤差信号に基づいて、トラッキング制御が行われる。具体的には、次の式（２）に基づいて、トラッキング誤差信号が検出される。【０１２５】
（トラッキング誤差信号「Ａ」）＝（Ｆ１＋Ｆ２）  −  （Ｆ３＋Ｆ４）  ……（２）
即ち、トラッキング誤差信号「Ａ」は、（i）第３受光部ＰＤ３のうちの照射領域「Ｆ１」で受光される第２信号光の第１成分「１ｂ」と、第３受光部ＰＤ３のうちの照射領域「Ｆ２」で受光される第２信号光の第３成分「３ｂ」との和の値と、（ii）第４受光部ＰＤ４のうちの照射領域「Ｆ４」で受光される第２信号光の第４成分「４ｂ」と、第４受光部ＰＤ４のうちの照射領域「Ｆ３」で受光される第２信号光の第２成分「２ｂ」との和の値との差分である。詳細には、トラッキング誤差信号「Ａ」の値の正負に基づいて、照射されるレーザ光（レーザービーム）を、図１２（ａ）に示すように、上下方向に移動させることが可能である。【０１２６】
この結果、Ｌ１層に合焦点した場合、振幅格子として機能する領域が分割された波長板１１１を透過した、（i）Ｌ１層からの信号光と、（ii）Ｌ０層からの迷光とにおける、偏光方向を異ならせて、所定の組み合わせに基づいて、第３受光部ＰＤ３、及び第４受光部ＰＤ４に夫々受光させることで、迷光による光の干渉の影響を、より効果的に低減することが可能である。【０１２７】
更に、振幅格子として機能する波長板１１１によって、Ｌ１層からの信号光に対する、Ｌ０層からの迷光における、光の干渉の影響を効果的に低減することが可能である。言い換えると、迷光による光の干渉を受ける光が、振幅格子によって、回折されることで、光の干渉の影響も分散され、効果的に低減することが可能である。【０１２８】
特に、第１迷光の光径が、受光部の受光面において、大きくなっても、偏光方向が異なるので、第２信号光に与える影響は、殆ど又は完全にないと言える。【０１２９】
以上の結果、本実施例によれば、２層型の情報記録媒体における、例えば１ビームによるトラッキング制御において、信号光が、波長板１１１を介して、２種類の受光部、即ち（i）第１受光部ＰＤ１及び第２受光部ＰＤ２、又は、（ii）第３受光部ＰＤ３及び第４受光部ＰＤ４に受光されることに基づいて、迷光の影響を、２つの記録層に対して、効果的に夫々低減させ、光強度のレベルをより高く維持させることが可能である。【０１３０】
従って、本実施例によれば、２層型の情報記録媒体における、例えば１ビームによるトラッキング制御において、他の記録層からの、迷光の影響を効果的に低減させ、光強度（又は、光強度に対応される光の振幅）のレベルをより高く維持させた状態の下で、信号光を、受光部に受光させ、高精度な、トラッキング制御を実現することが可能である。【０１３１】
本発明は、上述した実施例に限られるものではなく、請求の範囲及び明細書全体から読み取れる発明の要旨或いは思想に反しない範囲で適宜変更可能であり、そのような変更を伴う光ピックアップ及び情報機器もまた本発明の技術的範囲に含まれるものである。
【産業上の利用可能性】
【０１３２】
本発明に係る光ピックアップ及び情報機器は、例えばＤＶＤ等の情報記録媒体に対して情報信号の記録又は再生を行う際にレーザ光を照射する光ピックアップに利用可能であり、更に当該光ピックアップを備える情報機器に利用可能である。
【図１】
0004726256.tif 000002
【図２】
0004726256.tif 000003
【図３】
0004726256.tif 000004
【図４】
0004726256.tif 000005
【図５】
0004726256.tif 000006
【図６】
0004726256.tif 000007
【図７】
0004726256.tif 000008
【図８】
0004726256.tif 000009
【図９】
0004726256.tif 000010
【図１０】
0004726256.tif 000011
【図１１】
0004726256.tif 000012
【図１２】
0004726256.tif 000013
【図１３】
0004726256.tif 000014